(57)【特許請求の範囲】
【請求項１】
現在放送中の番組の開始時刻と、その開始時刻からの継続時間とを示すＥＩＴ情報を受信して、受信した前記ＥＩＴ情報に基づいて前記番組の録画を制御する番組録画制御装置であって、
前記番組の受信状況を検出する受信状況検出部と、
前記ＥＩＴ情報に基づいて前記番組の録画を制御している際、現在放送中の番組の前記継続時間が未定のＥＩＴ情報を新たに受信した場合、前記受信状況検出部による前記番組の受信状況の検出結果を参照し、前記番組の受信状況が所定レベルより低い場合、前記番組の録画を中止させるよう制御する録画制御部と、
を有する番組録画装置。
【請求項２】
現在放送中の番組の開始時刻と、その開始時刻からの継続時間とを示すＥＩＴ情報を受信して、受信した前記ＥＩＴ情報に基づいて前記番組の録画を制御する番組録画制御方法であって、
前記ＥＩＴ情報に基づいて前記番組の録画を制御している際、現在放送中の番組の前記継続時間が未定のＥＩＴ情報を新たに受信した場合、前記番組の受信状況の検出結果を参照し、前記番組の受信状況が所定レベルより低い場合、前記番組の録画を中止させるよう制御する、番組録画方法。
【請求項３】
現在放送中の番組の開始時刻と、その開始時刻からの継続時間とを示すＥＩＴ情報を受信して、受信した前記ＥＩＴ情報に基づいて前記番組の録画を制御する処理をコンピュータに実行させる番組録画制御用プログラムであって、
前記ＥＩＴ情報に基づいて前記番組の録画を制御している際、現在放送中の番組の前記継続時間が未定のＥＩＴ情報を新たに受信した場合、前記番組の受信状況の検出結果を参照し、前記番組の受信状況が所定レベルより低い場合、前記番組の録画を中止させるよう制御する、ことをコンピュータに実行させる番組録画制御用プログラム。
【発明の詳細な説明】
【技術分野】
【０００１】
本発明は、現在放送中の番組の開始時刻と、その開始時刻からの継続時間とを示すＥＩＴ情報を受信して、受信した前記ＥＩＴ情報に基づいて前記番組の録画を制御する番組録画制御装置、番組録画制御方法、番組録画制御用プログラムに関するものである。
【背景技術】
【０００２】
従来のデジタルＴＶ放送受信機では、音声・映像信号以外の番組等に関する付加情報の含まれた信号も受信可能であり、番組等に関する付加情報を利用すると、ＥＰＧ（Electric Program Guide) （電子番組ガイド）のような機能が実現できる。その付加情報のことをデジタル放送ではＰＳＩ、ＳＩ情報テーブルと呼び、今回使用する番組継続期間（duration）などの情報や、番組開始時間（start）は、ＳＩ情報テーブルのＥＩＴ（Event Information Table)内に記述されている。
【０００３】
ＥＩＴ（Event Information Table)情報は、番組の名称や放送日時、放送内容など、番組に関連する情報が含まれ、ＥＰＧは、主にこの情報を用いて作成される。そして、ＥＩＴ情報には、番組の終了時刻の変更を示す終了時刻変更ＥＩＴ情報と、その終了時刻変更ＥＩＴ情報が送出後、送出される番組終了時刻の変更された終了時刻を示す変更時刻ＥＩＴ情報とがある。
【０００４】
例えば、従来装置では、番組の延長が確定した際に番組が延長される場合の最大延長時間及び確定時期の情報をデジタル放送送信側で送出し、デジタル放送受信装置にて上記情報を取得して延長番組の録画するようにしたものがある（例えば、特許文献１参照。）。
【０００５】
【特許文献１】特開２００３−７８８９０号公報
【発明の開示】
【発明が解決しようとする課題】
【０００６】
しかし、ＥＩＴ情報に追従して動作する番組録画制御装置では、アンテナが傾いたり、アンテナケーブルが外れる等して、放送番組の受信状況が悪化した場合、予約録画対象番組の放送電波が正常な受信が不可になったり、またはＥＩＴの更新情報取得が不可になる場合がある。
【０００７】
この場合、上述の特許文献１に記載の従来の番組録画制御装置では、放送番組が受信不可になったり、その受信状況が悪くなった場合、その番組の最大終了時刻まで録画を継続するため、無駄な電力を消費すると共に、不要なデータを録画し続けることによる不要な記録データの残量消費や、そのことにより他の予約制御時に記録データの残量不足となり録画が途中で切れてしまうという問題がある。
【０００８】
そこで、本発明は、ＥＩＴ情報が正常に受信されない場合には、番組の録画を中止して、無駄な録画を防止することができる番組録画制御装置、番組録画制御方法、番組録画制御用プログラムを提供することを目的とする。
【課題を解決するための手段】
【０００９】
上記目的を達成するため、本発明の番組録画装置は、現在放送中の番組の開始時刻と、その開始時刻からの継続時間とを示すＥＩＴ情報を受信して、受信した前記ＥＩＴ情報に基づいて前記番組の録画を制御する番組録画制御装置であって、前記番組の受信状況を検出する受信状況検出部と、前記ＥＩＴ情報に基づいて前記番組の録画を制御している際、現在放送中の番組の前記継続時間が未定のＥＩＴ情報を新たに受信した場合、前記受信状況検出部による前記番組の受信状況の検出結果を参照し、前記番組の受信状況が所定レベルより低い場合、前記番組の録画を中止させるよう制御する録画制御部と、を有するものである。
【００１０】
また、本発明の番組録画方法は、現在放送中の番組の開始時刻と、その開始時刻からの継続時間とを示すＥＩＴ情報を受信して、受信した前記ＥＩＴ情報に基づいて前記番組の録画を制御する番組録画制御方法であって、前記ＥＩＴ情報に基づいて前記番組の録画を制御している際、現在放送中の番組の前記継続時間が未定のＥＩＴ情報を新たに受信した場合、前記番組の受信状況の検出結果を参照し、前記番組の受信状況が所定レベルより低い場合、前記番組の録画を中止させるよう制御する、ものである。
【００１１】
また、本発明の番組録画用プログラムは、現在放送中の番組の開始時刻と、その開始時刻からの継続時間とを示すＥＩＴ情報を受信して、受信した前記ＥＩＴ情報に基づいて前記番組の録画を制御する処理をコンピュータに実行させる番組録画制御用プログラムであって、前記ＥＩＴ情報に基づいて前記番組の録画を制御している際、現在放送中の番組の前記継続時間が未定のＥＩＴ情報を新たに受信した場合、前記番組の受信状況の検出結果を参照し、前記番組の受信状況が所定レベルより低い場合、前記番組の録画を中止させるよう制御する、ものである。
【発明の効果】
【００１２】
本発明によれば、ＥＩＴ情報に基づいて番組の録画を制御している際、現在放送中の番組の前記継続時間が未定のＥＩＴ情報を新たに受信した場合、前記番組の受信状況の検出結果を参照し、前記番組の受信状況が所定レベルより低い場合、前記番組の録画を中止させるよう制御するようにしたので、番組継続時間が未定のＥＩＴ情報を受信した後、番組の受信状況が悪化した場合は、ＥＩＴ情報に基づく番組録画は中止することができる。これにより、番組継続時間が未定のＥＩＴ情報を受信した後、番組の受信状況が悪化した場合でも、録画装置の稼動による消費電力の低減や、予約されている他の予約実行への影響を抑えることができると共に、また不要な録画による録画装置のデータ記録装置の消費を抑えることができ、ユーザの利便性を高めるという効果を得られる。
【発明を実施するための最良の形態】
【００１３】
図１は、本発明に係る番組録画制御装置の実施の形態であるデジタルＴＶ受信装置と、録画装置との構成例を示すブロック図である。
【００１４】
図１において、このデジタルＴＶ受信装置１００は、本発明の受信状況検出部１２０を備えた信号受信回路１０２と、受信データ分離回路１０４と、本発明の録画制御部１３０を備えた制御回路１０５と、デコーダ１０６と、制御回路１０５が作成したＥＰＧやユーザが指示した予約情報等を記憶するメモリ１０７と、ディスプレイやスピーカ等の出力部１０８と、ＩＥＥＥ１３９４端子や、ＩＲブラスタ、ＨＤＭＩ等の出力端子１０９とを有しており、この出力端子１０９を介し、ＨＤＤレコーダーや、ＤＶＤレコーダー等の録画装置１１０が接続されていると共に、アンテナ１０１にアンテナケーブルを介し接続されている。そして、このデジタルＴＶ受信装置１００では、図示しない放送局から放送される番組情報やＥＩＴ（Event Information Table）情報等を受信して、制御回路１０５がＥＰＧを作成し、作成したＥＰＧに基づいて録画制御部１３０が番組情報の録画を制御するように構成されている。
【００１５】
次に、ＥＩＴ（Event Information Table）情報に基づいて説明する。
【００１６】
ＥＩＴ（Event Information Table)情報は、番組の名称、放送日時、内容の説明など、番組に関する情報の指示をするイベント情報テーブルのことである。ＥＩＴ情報のＰＩＤは、0ｘ0012と決められており、図２に示すように、ＥＩＴ情報のトランスポートストリーム（ＴＳ）パケット２０２は、番組情報を構成するトランスポートストリーム（ＴＳ）パケット２０１に多重化されて伝送される。なお、ＥＩＴ情報は、トランスポートストリーム（ＴＳ）パケット２０２のペイロード部分に設定される。
【００１７】
ここで、ＥＩＴ（Event Information Table)情報は、以下に示すように、３つに分けられる。
（１）ＥＩＴ[ｓ]（Event Information Table[schedule]）情報…番組の放送開始前の所定期間（例えば、７日間等分）送出されるＥＩＴ情報。
（２）ＥＩＴ[ｐ]（Event Information Table[present]）情報…番組が現に放送されている期間、当該現在放送中の番組について送出されるＥＩＴ情報。本実施の形態では、present情報と略す場合もある。
（３）ＥＩＴ[ｆ]情報（Event Information Table[following]）…番組が現に放送されている期間、後続の次放送番組についての情報を示すＥＩＴ情報。本実施の形態では、following情報と略す場合もある。
【００１８】
なお、ＥＩＴ[ｐ]情報と、ＥＩＴ[ｆ]情報とを合わせて、ＥＩＴ[ｐ/ｆ]と呼ぶこととする。そして、ＥＩＴ[ｐ/ｆ]情報は、自番組のＴＳで送出されるＥＩＴ[ｐ/ｆ  actual]と、他番組のＴＳで送出されるＥＩＴ[ｐ/ｆ  other]とに別けられる。
【００１９】
ここで、ＩＳＤＢ（デジタル放送運用規格）に規定されるデジタル放送におけるＡＲＩＢ（社団法人電波産業会）で規定した運用規定によると、予定の時刻を超えて番組を放送するイベント延長を行う場合、番組の終了時刻の少なくとも３０秒前までにＥＩＴ[ｐ/ｆ  actual]情報に含まれるduration（継続時間）を延長後の正しい時刻に設定し直すか、未定に設定するとある。
【００２０】
図３は、番組延長による放送予定の変更の一例を示す図である。
【００２１】
図３（ａ）は、当初予定されていた放送の一例を示しており、３つの番組Ａ〜Ｃの放送スケジュールを示している。
【００２２】
図３（ｂ）は、番組Ａが野球番組等で２０分延長された場合に、実際に放送される３つの番組Ａ〜Ｃの放送スケジュールを示している。
【００２３】
図４は、図３（ａ）に示す当初予定されていた放送のＥＩＴ情報[ｐ／ｆ]の変化の一例を示す図である。
【００２４】
ＥＩＴ[ｐ／ｆ]情報は、番組名と、イベントＩＤ（event  id）と、番組開始時間（start）と、その番組開始時間（start）からの番組継続時間（duration）とから構成されている。
【００２５】
例えば、図４は、時刻７；００と、時刻９；００のＥＩＴ[ｐ／ｆ]情報を示しており、時刻７；００のＥＩＴ[ｐ／ｆ]情報４０１の場合、現在番組を示すpresent情報は、番組名“Ａ”、イベントＩＤ（event  id）が“０１”と、番組開始時間（start）が“７；００”と、番組継続時間（duration）が“２；００”と設定されており、次番組を示すfollowing情報は、番組名“Ｂ”、イベントＩＤ（event  id）が“０２”と、番組開始時間（start）が“９；００”と、番組継続時間（duration）が“１；００”と設定されている。
【００２６】
また、時刻９；００のＥＩＴ[ｐ／ｆ]情報４０２の場合、現在番組を示すpresent情報は、番組名“Ｂ”、イベントＩＤ（event  id）が“０２”と、番組開始時間（start）が“９；００”と、番組継続時間（duration）が“１；００”と設定されており、次番組を示すfollowing情報は、番組名“Ｃ”、イベントＩＤ（event  id）が“０３”と、番組開始時間（start）が“１０；００”と、番組継続時間（duration）が“１；００”と設定されている。
【００２７】
図５は、図３（ｂ）に示す番組Ａが延長放送された場合のＥＩＴ[ｐ／ｆ]情報の変化の一例を示す図である。
【００２８】
つまり、図５は、図３（ｂ）に示すように、７；００に図４に示すＥＩＴ[ｐ／ｆ]情報４０１と同じＥＩＴ[ｐ／ｆ]情報５０１を受信し、実際の放送にて番組Ａの延長の可能性が発生した時点である例えば８；５５に、番組Ａの延長放送を示すＥＩＴ[ｐ／ｆ]情報５０２を受信した場合を示している。すなわち、現在番組を示すpresent情報が、番組名“Ａ”、イベントＩＤ（event  id）が“０１”と、番組開始時間（start）が“７；００”と、番組継続時間（duration）が“未定”と設定され、次番組を示すfollowing情報が、番組名“未定”、イベントＩＤ（event  id）が“任意”、番組開始時間（start）が“未定”と、番組継続時間（duration）が“未定”と設定されたＥＩＴ[ｐ／ｆ]情報５０２がこのデジタルＴＶ受信装置１００に受信される。これにより、このデジタルＴＶ受信装置１００は、録画制御部１３０の制御により、現在録画をしている番組Ａの終了時間が未定となる。
【００２９】
そして、現在の番組Ａの番組継続時間（duration）が、例えば“２；２０”と確定した時点、例えば、９；１５に、現在の番組Ａおよび次の番組Ｂの番組開始時間（start）および番組継続時間（duration）を示すＥＩＴ[ｐ／ｆ]情報５０２、すなわち、Present情報が、番組名“Ａ”、イベントＩＤ（event  id）が“０１”と、番組開始時間（start）が“７；００”と、番組継続時間（duration）が“２；２０”、ｆollowing情報は、番組名“Ｂ”、イベントＩＤ（event  id）が“０２”、番組開始時間（start）が“９；２０”と、番組継続時間（duration）が“１；００”と設定されたＥＩＴ[ｐ／ｆ]情報５０３がこのデジタルＴＶ受信装置１００に受信される。なお、ＥＩＴ[ｐ／ｆ]情報５０４は、次の番組Ｂ，ＣについてのＥＩＴ[ｐ／ｆ]情報である。
【００３０】
これにより、このデジタルＴＶ受信装置は、突然、番組がイベント的に延長されても、ＥＩＴ[ｐ／ｆ]情報５０２，５０３により、現在録画をしている番組Ａの延長録画が可能になると共に、次の番組Ｂも予約されていれば、前の番組Ａが延長されても、正しく番組Ｂを録画することが可能となる。
【００３１】
なお、本実施の形態のデジタルＴＶ受信装置１００は、図５に示す８；５５時点の番組Ａの延長放送を示すＥＩＴ[ｐ／ｆ]情報５０２を受信したものの、その後、アンテナ１０１が傾いたり、アンテナ１０１とデジタルＴＶ受信装置１００とを結ぶアンテナケーブルが外れる等して、図５に示す９；１５以降の番組Ａの延長放送を示すＥＩＴ[ｐ／ｆ]情報５０３等を正常に受信できない場合の対策を特徴としたものである。
【００３２】
次に、本実施の形態のデジタルＴＶ受信装置１００の動作を説明する。
【００３３】
まず、本装置では、予め信号受信回路１０２が放送局（図示せず）からアンテナ１０１を介し番組情報やＥＩＴ（Event Information Table)情報などが多重化されたＴＳパケットを受信し、受信データ分離回路１０４がそのＴＳパケットを分離して、番組情報はデコーダ１０６へ出力する一方、ＥＩＴ（Event Information Table)[ｓ]情報は制御回路１０５へ出力する。
【００３４】
すると、制御回路１０５は、ＥＩＴ[ｓ]情報に記述された番組放送開始前の所定期間、例えば７日分の番組情報に基づいてＥＰＧ（Electric Program Guide；電子番組ガイド）を作成し、メモリ１０７に記憶し、作成したＥＰＧを番組視聴や予約録画の際のチャンネル選択に利用する。
【００３５】
そして、制御回路１０５の録画制御部１３０は、このメモリ１０６に記憶されたＥＰＧを参照したユーザからの録画指示に基づき、番組の予約録画等の番組録画の制御を行う。
【００３６】
図６は、本実施の形態のデジタルＴＶ受信装置１００における現在録画している番組の終了時刻を未定に設定した録画制御信号を録画装置１１０に対し送信するまでの録画制御の動作を示すフローチャートである。
【００３７】
まず、本実施の形態のデジタルＴＶ受信装置１００では、録画制御部１３０は、メモリ１０６に記憶されたＥＰＧを参照して、ユーザにより設定された予約録画対象番組の時間になるか否かを判断する（ステップ６００）。
【００３８】
予約録画対象番組の例えば開始数十秒前になると（ステップ６００“ＹＥＳ”）、録画制御部１３０は、予約録画等の制御を行うためデジタルＴＶ受信装置１００の電源をオンし（ステップ６１０）、続いて録画装置１１０の電源をオンし（ステップ６２０）、さらに予約録画対象番組の開始直前、例えば、数秒程度前に信号受信回路１０２に指示を出力して、予約録画をする番組のチャンネルを選局させる（ステップ６３０）。
【００３９】
そして、録画制御部１３０は、放送局（図示せず）からアンテナ１０１、信号受信回路１０２、および受信データ分離回路１０４を介しＥＩＴ[ｐ／ｆ]情報を受信して、予約録画対象番組の番組が開始されるのと同時あるいは数秒前に録画装置１１０に対し録画開始の制御信号を送信して、録画装置１１０に録画開始をさせる（ステップ６４０）。なお、この段階で、録画制御部１３０が受信するＥＩＴ[ｐ／ｆ]情報は、例えば、図４のＥＩＴ[ｐ／ｆ]情報４０１や、図５のＥＩＴ[ｐ／ｆ]情報５０１である。
【００４０】
その後、録画制御部１３０は、次のＥＩＴ[ｐ／ｆ]情報を受信するか否かを判断し（ステップ６４０）、次のＥＩＴ[ｐ／ｆ]情報を受信した場合（ステップ６５０“ＹＥＳ”）、続いてその受信したＥＩＴ[ｐ／ｆ]情報のpresent情報に番組継続時間（duration）が設定されているか否かを判断する（ステップ６６０）。
【００４１】
ここで、受信したＥＩＴ[ｐ／ｆ]情報のpresent情報に番組継続時間（duration）が設定されている場合（ステップ６６０“ＹＥＳ”）、図７に示すステップ７２０へ移行する。
【００４２】
これに対し、受信したＥＩＴ[ｐ／ｆ]情報のpresent情報に番組継続時間（duration）が設定されていない場合（ステップ６６０“Ｎｏ”）、録画制御部１３０は、現在録画している番組の終了時刻を未定に設定した録画制御信号を録画装置１１０に対し送信し（ステップ６７０）、図７に示すステップ７１０へ移行する。なお、ここで、受信したＥＩＴ[ｐ／ｆ]情報は、番組継続時間（duration）が設定されていない場合であるので（ステップ６６０“Ｎｏ”）、この受信したＥＩＴ[ｐ／ｆ]情報は、例えば、図５のＥＩＴ[ｐ／ｆ]情報５０２になる。
【００４３】
図７は、本実施の形態のデジタルＴＶ受信装置１００における現在録画している番組の終了時刻を未定に設定した録画制御信号を録画装置１１０に対し送信した後番組録画の動作を示すフローチャートである。
【００４４】
つまり、図６のステップ６７０の処理により、録画制御部１３０が現在録画している番組の終了時刻を未定に設定した録画制御信号を録画装置１１０に対し送信した場合、録画制御部１３０は、present情報に番組継続時間（duration）が設定された次のＥＩＴ[ｐ／ｆ]情報を受信するか否かを判断する（ステップ７１０）。ここで、次のＥＩＴ[ｐ／ｆ]情報とは、例えば、図５におけるＥＩＴ[ｐ／ｆ]情報５０３である。
【００４５】
そして、録画制御部１３０は、present情報に番組継続時間（duration）が設定されたＥＩＴ[ｐ／ｆ]情報を受信したものと判断した場合（ステップ７１０“ＹＥＳ”）、当該ＥＩＴ[ｐ／ｆ]情報のpresent情報の番組開始時間（start）と番組継続時間（duration）とに基づいて、現在録画をしている番組の番組終了時刻になったか否かを判断する（ステップ７２０）。そして、番組終了時刻になったと判断した場合には（ステップ７２０“ＹＥＳ”）、録画装置１１０に録画動作を停止させ（ステップ７３０）、その後、録画装置１１０の電源をオフし（ステップ７４０）、続いて予約録画等であればこのデジタルＴＶ受信装置１００の電源をオフさせる（ステップ７５０）。なお、図６のステップ６０にて、受信したＥＩＴ[ｐ／ｆ]情報のpresent情報に番組継続時間（duration）が設定されている場合も（ステップ６６０“ＹＥＳ”）、図７に示すステップ７２０へ移行して、上記と同様の処理を行う。
【００４６】
これに対し、録画制御部１３０は、present情報に番組継続時間（duration）が設定された次のＥＩＴ[ｐ／ｆ]情報を受信していないと判断した場合（ステップ７１０“Ｎｏ”）、図８に詳細な処理を示す電波の受信状況に基づく録画制御処理を行う（ステップ７６０）。
【００４７】
図８は、図７に示すステップ７６０の電波の受信状況に基づく録画制御処理の詳細処理を示したフローチャートである。
【００４８】
つまり、図７のステップ７１０にて、録画制御部１３０は、present情報に番組継続時間（duration）が設定された次のＥＩＴ[ｐ／ｆ]情報を受信していないと判断した場合（ステップ７１０“Ｎｏ”）、まずは、信号受信回路１０２の受信状況検出部１２０にアクセスして、電波（番組）の受信状況をチェックする（ステップ８１０）。
【００４９】
そして、録画制御部１３０は、信号受信回路１０２の受信状況検出部１２０から電波（番組）の受信状況のレベルをチェックして、受信状況の良悪を判定するための閾値である所定レベルと比較して、受信状況の良否を判定する（ステップ８２０）。
【００５０】
ここで、受信状況検出部１２０からの番組受信状況のレベルが所定レベルより高い場合、録画制御部１３０は、受信状況が良いと判定して（ステップ８２０“ＹＥＳ”）、録画制御部１３０内の受信不良カウンタ（図示せず）をリセットして（ステップ８３０）、予約録画の継続制御を決定する（ステップ８４０）。その後、録画制御部１３０は、図７のステップ７２０の処理、すなわちＥＩＴ[ｐ／ｆ]情報に設定された番組開始時間（start）および番組継続時間（duration）に基づいて現在録画をしている番組の終了時刻が終了するか否かの判定処理へ移行する。
【００５１】
これに対し、受信状況検出部１２０からの番組受信状況のレベルが所定レベルより小さい場合、録画制御部１３０は、受信状況が悪いと判定して（ステップ８２０“Ｎｏ”）、録画制御部１３０内の受信不良カウンタ（図示せず）を増加させ（ステップ８５０）、続いてその受信不良カウンタ（図示せず）が所定値、例えば、３回や、５回等を超えたか否かを判定する（ステップ８６０）。
【００５２】
そして、受信不良カウンタ（図示せず）が所定値を超えていない場合（ステップ８６０“Ｎｏ”）、録画制御部１３０は、所定時間、例えば、１０秒や３０秒等の所定時間カウントした後（ステップ８７０）、上述のステップ８１０の処理へ戻り、再度、信号受信回路１０２の受信状況検出部１２０にアクセスして電波（番組）の受信状況をチェックして、上述のステップ８１０以降の処理を繰り返す。これにより、たまたまアンテナ１０１が傾いたり振動などしたり、あるいは天気の悪化により、一時的に電波の受信状況が悪化した場合には、受信不良カウンタ（図示せず）が所定値を超えることはないので（ステップ８６０“Ｎｏ”）、ステップ８７０以降の電波（番組）の受信状況に基づく番組録画の強制中断処理を防止することができる。
【００５３】
その一方、受信不良カウンタ（図示せず）が所定値を超えた場合（ステップ８６０“ＹＥＳ”）、アンテナ１０１がずれたり、アンテナ１０１とデジタルＴＶ受信装置１００とを接続するアンテナケーブルが外れる等して、電波（番組）の受信状況の悪い状態が所定時間以上継続しているということなので、録画制御部１３０は、予約録画の強制終了を決定して（ステップ８８０）、図７のステップ７３０に進み、録画装置１１０の録画動作を強制的に終了させるため、録画装置１１０に対し録画動作終了のイベント制御信号を送信する。
【００５４】
これにより、録画制御部１３０は、受信したＥＩＴ[ｐ／ｆ]情報のpresent情報に番組継続時間（duration）が設定されていない場合（ステップ６６０“Ｎｏ”）、受信状況検出部１２０の受信状況をチェックし、受信状況の悪い状態が所定時間以上継続している場合、録画装置１１０の録画中止動作を強制的に行うことにより、番組継続時間が未定のＥＩＴ情報を受信した後、アンテナ１０１が傾く等して番組の受信状況が悪化した場合や、アンテナケーブルが抜ける等して、正常に放送番組を受信できなくなった場合には、録画装置１１０によるＥＩＴ情報に基づく番組録画を強制的に中止させることができる。
【００５５】
以上のように、本実施の形態のデジタルＴＶ受信装置によれば、録画制御部１３０は、present情報に番組継続時間（duration）が設定された次のＥＩＴ[ｐ／ｆ]情報を受信していないと判断した場合、受信状況検出部１２０の受信状況をチェックし、受信状況の悪い状態が所定時間以上継続している場合、録画装置１１０の録画中止動作を強制的に終了させるよう制御するので、番組継続時間が未定のＥＩＴ情報を受信した後、アンテナ１０１が傾く等して番組の受信状況が悪化した場合や、アンテナケーブルが抜ける等して、正常に放送番組を受信できなくなった場合には、録画装置１１０によるＥＩＴ情報に基づく番組録画は中止させることができる。
【００５６】
これにより、録画装置の稼動による消費電力の低減や、予約されている他の予約実行への影響を抑え、また不要な録画による録画装置のデータ記録装置の消費を抑えることができ、ユーザの利便性を高めることができる。
【００５７】
なお、上記実施の形態では、図１に示すように本発明に係る番組録画制御装置の実施の形態であるデジタルＴＶ受信装置１００を回路によりハードウエア的に構成して説明したが、本発明では、これに限らず、本発明に係る番組録画制御装置の動作である番組録画制御方法を、番組録画制御用プログラムを実行することにより、ソフトウエア的に実行するようにしても勿論よい。
【００５８】
また、上記実施の形態では、図１に示すように本発明に係る番組録画制御装置の実施の形態であるデジタルＴＶ受信装置１００と、録画装置１１０とを別々の装置により構成して説明したが、本発明では、これに限らず、本発明に係る番組録画制御装置の実施の形態であるデジタルＴＶ受信装置１００が、録画装置１１０を内蔵していても勿論よい。
【００５９】
また、上記実施の形態では、図１に示すように本発明に係る番組録画制御装置を、デジタルＴＶ受信装置１００に適用して説明したが、本発明では、これに限らず、本発明に係る番組録画制御装置を、信号受信回路１０２や、受信データ分離回路１０４、録画制御部１３０、デコーダ１０６、
受信状況検出部１２０、録画制御部１３０等を内蔵し、ディスプレイ等の出力部１０８を持たない、いわゆるＨＤＤレコーダーや、ＤＶＤレコーダー等の録画装置に適用するようにしても勿論よい。
【００６０】
また、上記実施の形態では、録画制御部１３０は、信号受信回路１０２の受信状況検出部１２０による電波（番組）の受信状況に基づいて受信状況の悪い状態が所定時間以上継続しているか否かを判断するように説明したが、デコーダ１０６による映像音声信号のデコード結果を利用するようにしても勿論よい。つまり、受信状況の悪い状態が所定時間以上継続した場合、必然的にデコーダ１０６による映像音声信号のデコード結果も悪化するので、デコーダ１０６による映像音声信号のデコード結果に基づいても、アンテナ１０１が傾く等して番組の受信状況が悪化した場合や、アンテナケーブルが抜ける等して、正常に放送番組を受信できなくなった場合に、ＥＩＴ情報に基づく番組録画は中止させることが可能となる。
【００６１】
また、上記実施の形態では、図３（ｂ）に示す番組Ａが延長放送された場合のＥＩＴ[ｐ／ｆ]情報の変化の一例を図５に示しているが、図５に示すように変化する場合に限らず、図９に示すようにＥＩＴ[ｐ／ｆ]情報が変化する場合もあり、このようにＥＩＴ[ｐ／ｆ]情報が変化する場合でも、本発明の番組録画制御装置は有効である。
【００６２】
図９は、番組Ａが延長放送された場合のＥＩＴ[ｐ／ｆ]情報の変化の他の例を示す図である。
【００６３】
つまり、図９は、図３（ｂ）に示すように、実際の放送にて番組Ａの延長の可能性が発生した時点８；５５に、図５に示すＥＩＴ[ｐ／ｆ]情報５０２と同様に番組Ａの番組継続時間（duration）が未設定のＥＩＴ[ｐ／ｆ]情報９０２を受信し、その後、図５に示すＥＩＴ[ｐ／ｆ]情報５０３のような番組Ａの番組継続時間（duration）が設定されたＥＩＴ[ｐ／ｆ]情報を受信せずに、いきなり、９；２０に、番組Ｂの開始時刻を示すＥＩＴ[ｐ／ｆ]情報９０３、すなわち、現在番組を示すpresent情報が、番組名“Ｂ”、イベントＩＤ（event  id）が“０２”と、番組開始時間（start）が“９；２０”と、番組継続時間（duration）が“未定”と設定され、次番組を示すfollowing情報が、番組名“未定”、イベントＩＤ（event  id）が“任意”、番組開始時間（start）が“未定”と、番組継続時間（duration）が“未定”と設定されたＥＩＴ[ｐ／ｆ]情報９０３がこのデジタルＴＶ受信装置１００に受信される場合である。この場合、従来のデジタル受信装置であれば番組Ａの番組継続時間（duration）が設定されたＥＩＴ[ｐ／ｆ]情報を受信してないので、次の番組Ｂの録画開始を示すＥＩＴ[ｐ／ｆ]情報９０３を受信したとしても、番組Ａの録画を終了せずに、番組Ｂを録画できないことになる。なお、図９では、９；２０にＥＩＴ[ｐ／ｆ]情報９０３を受信した後、９；３０に次の番組Ｂの番組継続時間（duration）が設定され、さらに次の番組Ｃの番組開始時間（start）および番組継続時間（duration）が設定されたＥＩＴ[ｐ／ｆ]情報９０４を受信する場合を示している。
【００６４】
これに対し、本実施の形態のデジタルＴＶ受信装置１００によれば、番組Ａの番組継続時間（duration）が未設定のＥＩＴ[ｐ／ｆ]情報９０２を受信した場合、録画制御部１３０は、受図５に示すＥＩＴ[ｐ／ｆ]情報５０２を受信した場合と同様に、図７のステップ７１０の判断処理で、“ＮＯ”と判断され、ステップ７６０の受信状況に基づく録画制御処理、すなわち図８に詳細に示す受信状況に基づく録画制御処理を実行して、受信状況の悪い状態が所定時間以上継続している場合、録画装置１１０の録画動作を強制的に中止させることにより、番組継続時間が未定のＥＩＴ情報９０２を受信した後、アンテナ１０１が傾く等して番組の受信状況が悪化した場合や、アンテナケーブルが抜ける等して、正常に放送番組を受信できなくなった場合、ＥＩＴ情報に基づく番組録画を中止することができる。
【図面の簡単な説明】
【００６５】
【図１】本発明に係る番組録画制御装置の実施の形態であるデジタルＴＶ受信装置と、録画装置との構成例を示すブロック図である。
【図２】ＥＩＴ情報が多重化されるトランスポートストリーム（ＴＳ）パケット２０２の構造を簡単に示す説明図である。
【図３】（ａ）、（ｂ）それぞれ、当初予定されていた放送と、番組Ａが２０分延長された場合に、実際に放送された３つの番組Ａ〜Ｃの放送スケジュールを示す説明図である。
【００６６】
【図４】図３（ａ）に示す当初予定されていた放送のＥＩＴ情報[ｐ／ｆ]の変化の一例を示す図である。
【図５】図３（ｂ）に示す番組Ａが延長放送された場合のＥＩＴ[ｐ／ｆ]情報の変化の一例を示す図である。
【図６】本実施の形態のデジタルＴＶ受信装置１００における現在録画している番組の終了時刻を未定に設定した録画制御信号を録画装置１１０に対し送信するまでの録画制御の動作を示すフローチャートである。
【図７】本実施の形態のデジタルＴＶ受信装置１００における現在録画している番組の終了時刻を未定に設定した録画制御信号を録画装置１１０に対し送信した後番組録画の動作を示すフローチャートである。
【図８】図７に示すステップ７５０の電波の受信状況に基づく録画制御処理の詳細処理を示したフローチャートである。
【図９】番組Ａが延長放送された場合のＥＩＴ[ｐ／ｆ]情報の変化の他の例を示す図である。
【符号の説明】
【００６７】
１００  デジタルＴＶ受信装置
１０１  アンテナ
１０２  信号受信回路
１０４  受信データ分離回路
１０５  録画制御回路
１０６  デコーダ
１０７  メモリ
１０８  出力部
１０９  出力端子
１１０  録画装置
１２０  受信状況検出部
１３０  録画制御部
【図１】
0004662209.tif 000002
【図２】
0004662209.tif 000003
【図３】
0004662209.tif 000004
【図４】
0004662209.tif 000005
【図５】
0004662209.tif 000006
【図６】
0004662209.tif 000007
【図７】
0004662209.tif 000008
【図８】
0004662209.tif 000009
【図９】
0004662209.tif 000010